(57)【特許請求の範囲】
【請求項１】
所定の一ないし複数の符号化率でパンクチュアード畳込み符号化され、所定の一ないし複数の変調方式でキャリア変調マッピングされて送出されたキャリア信号を受信し、誤り訂正復号を行う誤り訂正回路であって、
受信した前記キャリア信号を伝送された変調方式に応じて復調し、復調データに変換するデマッピング回路と、
前記復調データを量子化し、メトリックデータに変換するメトリック変換回路と、
前記メトリックデータを伝送された符号化率に応じて補完し、デパンクチュアードデータとして出力するデパンクチュアー化回路と、
前記デパンクチュアードデータをビタビ復号し、復号データを出力するビタビ復号回路と、を具備し、
前記メトリック変換回路は、
前記復調データを伝送された変調方式及び符号化率の組み合わせに応じた量子化レベルにより量子化し、メトリックデータとして出力することを特徴とする誤り訂正回路。
【請求項２】
前記メトリック変換回路は、
前記復調データを多値メトリックデータに変換する関数を量子化ステップ関数とするとき、伝送された変調方式及び符号化率の組合せに応じて前記量子化ステップ関数の勾配を切り替えることを特徴とする請求項１記載の誤り訂正回路。
【請求項３】
前記メトリック変換回路は、
前記復調データを多値メトリックデータに変換する関数を量子化ステップ関数とし、伝送された変調方式及び符号化率の組合せによって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくすることを特徴とする請求項１記載の誤り訂正回路。
【請求項４】
所定の符号化率で畳込み符号化され、所定の一ないし複数の変調方式でキャリア変調マッピングされて送出されたキャリア信号を受信し、誤り訂正復号を行う誤り訂正回路であって、
受信した前記キャリア信号を伝送された変調方式に応じて復調し、復調データに変換するデマッピング回路と、
前記復調データを量子化し、メトリックデータに変換するメトリック変換回路と、
前記メトリックデータをビタビ復号し、復号データを出力するビタビ復号回路と、を具備し、
前記メトリック変換回路は、
前記復調データを伝送された変調方式に応じた量子化レベルにより量子化し、メトリックデータとして出力することを特徴とする誤り訂正回路。
【請求項５】
前記メトリック変換回路は、
前記復調データを多値メトリックデータに変換する関数を量子化ステップ関数とするとき、伝送された変調方式に応じて前記量子化ステップ関数の勾配を切り替えることを特徴とする請求項４記載の誤り訂正回路。
【請求項６】
前記メトリック変換回路は、
前記復調データを多値メトリックデータに変換する関数を量子化ステップ関数とし、伝送された変調方式によって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくすることを特徴とする請求項４記載の誤り訂正回路。
【請求項７】
所定の一ないし複数の符号化率でパンクチュアード畳込み符号化され、所定の変調方式でキャリア変調マッピングされて送出されたキャリア信号を受信し、誤り訂正復号を行う誤り訂正回路であって、
受信した前記キャリア信号を伝送された変調方式に応じて復調し、復調データに変換するデマッピング回路と、
前記復調データを量子化し、メトリックデータに変換するメトリック変換回路と、
前記メトリックデータを伝送された符号化率に応じて補完し、デパンクチュアードデータとして出力するデパンクチュアー化回路と、
前記デパンクチュアードデータをビタビ復号し、復号データを出力するビタビ復号回路と、を具備し、
前記メトリック変換回路は、
前記復調データを伝送された符号化率に応じた量子化レベルにより量子化し、メトリックデータとして出力することを特徴とする誤り訂正回路。
【請求項８】
前記メトリック変換回路は、
前記復調データを多値メトリックデータに変換する関数を量子化ステップ関数とするとき、伝送された符号化率に応じて前記量子化ステップ関数の勾配を切り替えることを特徴とする請求項７記載の誤り訂正回路。
【請求項９】
前記メトリック変換回路は、
前記復調データを多値メトリックデータに変換する関数を量子化ステップ関数とし、伝送された符号化率によって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくすることを特徴とする請求項７記載の誤り訂正回路。
【発明の詳細な説明】
【０００１】
【発明の属する技術分野】
本発明は、複数の変調方式及び複数の符号化率の内、特定の変調方式及び符号化率を用いて符号化変調された信号を受信し、デジタルデータを復号する誤り訂正回路に関するものである。
【０００２】
【従来の技術】
近年、デジタル伝送技術の急速な進展により、衛星放送、ケーブルテレビ、地上波放送などのデジタル放送が本格的な実用化段階に入ろうとしている。これらの放送方式では、伝送レートを上げるために、また伝送誤りを少なくするために、様々な符号化変調方式が用いられている。中でも伝送誤りを少なくするための誤り訂正符号化／復号化技術は、重要かつ高度なものとなってきている。
【０００３】
従来より誤り訂正技術として広く実用化されているものにビタビ復号技術がある。以下に、ビタビ復号技術を用いた従来の誤り訂正回路について図４及び図５を用いて説明する。図４は送信側に設けられる誤り訂正符号化回路５０の構成を示すブロック図である。この誤り訂正符号化回路５０は、ビットデータ入力端子５１、符号化率情報入力端子５２、変調方式情報入力端子５３、畳込み符号化回路５４、パンクチュアー化回路５５、マッピング回路５６、キャリア信号出力端子５７を含んで構成される。
【０００４】
このような構成の誤り訂正符号化回路５０の動作を説明する。畳込み符号化回路５４は、ビットデータ入力端子５１から入力されたビットデータを誤り訂正符号化し、パラレルビットデータとしてパンクチュアー化回路５５へ出力する。パンクチュアー化回路５５はパラレルビットデータを、符号化率情報入力端子５２から入力された符号化率情報に応じて間引き、パンクチュアードデータとしてマッピング回路５６へ出力する。マッピング回路５６はパンクチュアードデータを、変調方式情報入力端子５３から入力された変調方式情報に応じてキャリア変調マッピングし、Ｉ軸データとＱ軸データの組からなるキャリア信号としてキャリア信号出力端子５７に出力する。
【０００５】
図５は、受信側に設けられ、誤り訂正符号化回路５０に対応する従来の誤り訂正回路６０の構成を示すブロック図である。この誤り訂正回路６０は、キャリア信号入力端子１１、変調方式情報入力端子１２、符号化率情報入力端子１３、デマッピング回路１４、メトリック変換回路４５、デパンクチュアー化回路１６、ビタビ復号回路１７、復号データ出力端子１８を含んで構成される。
【０００６】
このような構成の誤り訂正回路６０の動作を説明する。デマッピング回路１４は、キャリア信号入力端子１１から入力されたキャリア信号を、変調方式情報入力端子１２から入力された変調方式情報に応じて復調し、復調データをメトリック変換回路４５に出力する。メトリック変換回路４５は、復調データを所定の量子化レベル（量子化ステップ関数）により量子化し、メトリックデータとしてデパンクチュアー化回路１６に出力する。メトリックデータは、復調データの確からしさを定量化した信号であり、この値が大きい程、元のビットデータが０（又は１）に近く、小さい程、元のビットデータが１（又は０）に近いデータであることを意味する。この復調データは、例えば−8912〜0 〜＋8192の範囲で表され、メトリック変換回路４５で多値に量子化される。
【０００７】
デパンクチュアー化回路１６は、メトリックデータを符号化率情報入力端子１３から入力された符号化率情報に応じて補完し、デパンクチュアードデータとしてビタビ復号回路１７に出力する。ビタビ復号回路１７は、デパンクチュアードデータを軟判定ビタビ復号し、復号データを復号データ出力端子１８に出力する。
【０００８】
図６はメトリック変換回路４５の動作を説明するためのデータ相関図である（変調方式ＱＰＳＫ、符号化率１／２）。本図において、横軸は入力された復調データのレベル値を示し、縦軸は量子化されたメトリックデータの値を示している。入出力データの相関を定める方法としては、図６に示すような量子化ステップ関数で与えることが多い。軟判定ビタビ復号を用いた誤り訂正方式では、ビタビ復号回路１７の回路規模を実用可能な範囲まで縮小するため、メトリック変換回路４５における復調データの量子化は必要不可欠なものとなっている。ここでは出力となるメトリックデータは、０から７までの８値（３ビット幅）としている。
【０００９】
従来の誤り訂正回路を用いた伝送方式では、多くの場合、特定の変調方式及び符号化率の組み合わせによる符号化変調が用いられる。メトリック変換回路４５においては、その特定の変調方式及び符号化率の組み合わせに応じて、良好な誤り率特性が得られる最適な値が所定の量子化レベルとして与えられている。前述した図６は、変調方式としてＱＰＳＫを用い、符号化率として１／２を用いた場合に最適となるような量子化レベルを用いた際の特性図である。一般に、変調方式及び符号化率のいずれか一方又はその両方が異なる場合、変調方式及び符号化率の組み合わせに対して、最適となる量子化レベルは夫々異なることが多い。
【００１０】
【発明が解決しようとする課題】
しかし近来、多様な放送サービスの提供や自由な番組編成のため、複数の変調方式及び複数の符号化率の内、任意の組み合わせにより広範な伝送レートが設定できる伝送方式が求められてきている。例えば日本の地上波デジタル放送方式として提案されている「地上デジタルテレビジョン放送暫定方式（案）」においては、変調方式としてＤＱＰＳＫ、ＱＰＳＫ、１６ＱＡＭ、６４ＱＡＭの４種類が定められ、符号化率として１／２、２／３、３／４、５／６、７／８の５種類が定められ、それらの変調方式及び符号化率の任意の組み合わせによる符号化変調が行えるようになっている。符号化変調された信号はＯＦＤＭを用いて伝送される。
【００１１】
これらの変調方式及び符号化率の任意の組み合わせによる符号化変調に対して、上記の従来の誤り訂正回路を適用すると、全ての符号化変調で最良のビット誤り率（ＢＥＲ）が得られるとはいえない。図７は、図６に示したデータ相関を用いて誤り訂正を行った結果を示すＣ／Ｎ値対ビット誤り率の特性図である。尚、このＢＥＲはビタビ復号回路までの特性である。図７に示すように、曲線ａは変調方式がＱＰＳＫ、符号化率が１／２の場合の特性図である。曲線ｂは変調方式が１６ＱＡＭ、符号化率が３／４の場合の特性図である。曲線ｃは変調方式が６４ＱＡＭ、符号化率が７／８の場合の特性図である。
【００１２】
前述した図６は、変調方式がＱＰＳＫ、符号化率が１／２の場合に、ＢＥＲが最適となるような量子化レベルを用いたものである。このため、曲線ａにおいてはＣ／Ｎ値が５以上で良好なＢＥＲの特性が得られている。しかし、これと同一の量子化レベルを用いて１６ＱＡＭや６４ＱＡＭの復調を行うと、曲線ｂ，ｃに示すようにＣ／Ｎ値が５以上〜１０の間でもＢＥＲが０．５〜０．１となって、使用に耐え難いものとなる。これは、夫々の符号化変調で最適な量子化レベルを用いて誤り訂正を行っていないために生じる問題点といえる。
【００１３】
本発明は、このような従来の問題点に鑑みてなされたものであって、複数の変調方式及び複数の符号化率の内、任意の組み合わせを用いて符号化変調されて送出された信号を受信する場合に、変調方式及び符号化率の組み合わせの変更、あるいは変調方式又は符号化率の切替えに関わりなく、常に安定して良好な誤り率が得られる誤り訂正回路を実現することを目的とする。
【００１４】
【課題を解決するための手段】
本願の発明は、所定の一ないし複数の符号化率でパンクチュアード畳込み符号化され、所定の一ないし複数の変調方式でキャリア変調マッピングされて送出されたキャリア信号を受信し、誤り訂正復号を行う誤り訂正回路であって、受信した前記キャリア信号を伝送された変調方式に応じて復調し、復調データに変換するデマッピング回路と、前記復調データを量子化し、メトリックデータに変換するメトリック変換回路と、前記メトリックデータを伝送された符号化率に応じて補完し、デパンクチュアードデータとして出力するデパンクチュアー化回路と、前記デパンクチュアードデータをビタビ復号し、復号データを出力するビタビ復号回路と、を具備し、前記メトリック変換回路は、前記復調データを伝送された変調方式及び符号化率の組み合わせに応じた量子化レベルにより量子化し、メトリックデータとして出力することを特徴とする。
ここで前記メトリック変換回路は、前記復調データを多値メトリックデータに変換する関数を量子化ステップ関数とするとき、伝送された変調方式及び符号化率の組合せに応じて前記量子化ステップ関数の勾配を切り替えるようにしてもよい。
ここで前記メトリック変換回路は、前記復調データを多値メトリックデータに変換する関数を量子化ステップ関数とし、伝送された変調方式及び符号化率の組合せによって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくするようにしてもよい。
【００１５】
本願の発明は、所定の符号化率で畳込み符号化され、所定の一ないし複数の変調方式でキャリア変調マッピングされて送出されたキャリア信号を受信し、誤り訂正復号を行う誤り訂正回路であって、受信した前記キャリア信号を伝送された変調方式に応じて復調し、復調データに変換するデマッピング回路と、前記復調データを量子化し、メトリックデータに変換するメトリック変換回路と、前記メトリックデータをビタビ復号し、復号データを出力するビタビ復号回路と、を具備し、前記メトリック変換回路は、前記復調データを伝送された変調方式に応じた量子化レベルにより量子化し、メトリックデータとして出力することを特徴とする。
ここで前記メトリック変換回路は、前記復調データを多値メトリックデータに変換する関数を量子化ステップ関数とするとき、伝送された変調方式に応じて前記量子化ステップ関数の勾配を切り替えるようにしてもよい。
ここで前記メトリック変換回路は、前記復調データを多値メトリックデータに変換する関数を量子化ステップ関数とし、伝送された変調方式によって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくするようにしてもよい。
【００１６】
本願の発明は、所定の一ないし複数の符号化率でパンクチュアード畳込み符号化され、所定の変調方式でキャリア変調マッピングされて送出されたキャリア信号を受信し、誤り訂正復号を行う誤り訂正回路であって、受信した前記キャリア信号を伝送された変調方式に応じて復調し、復調データに変換するデマッピング回路と、前記復調データを量子化し、メトリックデータに変換するメトリック変換回路と、前記メトリックデータを伝送された符号化率に応じて補完し、デパンクチュアードデータとして出力するデパンクチュアー化回路と、前記デパンクチュアードデータをビタビ復号し、復号データを出力するビタビ復号回路と、を具備し、前記メトリック変換回路は、前記復調データを伝送された符号化率に応じた量子化レベルにより量子化し、メトリックデータとして出力することを特徴とする。
ここで前記メトリック変換回路は、前記復調データを多値メトリックデータに変換する関数を量子化ステップ関数とするとき、伝送された符号化率に応じて前記量子化ステップ関数の勾配を切り替えるようにしてもよい。
ここで前記メトリック変換回路は、前記復調データを多値メトリックデータに変換する関数を量子化ステップ関数とし、伝送された符号化率によって決定される伝送容量を許容伝送容量とするとき、前記許容伝送容量が大きい場合には、前記量子化ステップ関数の勾配を大きくし、前記許容伝送容量が小さい場合には、前記量子化ステップ関数の勾配を小さくするようにしてもよい。
【００１７】
【発明の実施の形態】
以下、本発明の各実施の形態における誤り訂正回路について図面を参照しつつ説明する。なお受信側の誤り訂正回路に対して送信側に設けられる誤り訂正符号化回路については、図４に示すものと同じ構成とし、それらの説明は省略する。
【００１８】
（実施の形態１）
図１は本発明の実施の形態１における誤り訂正回路の構成を示すブロック図であり、図５と同一部分は同一の符号を付けて説明する。この誤り訂正回路１０Ａは、キャリア信号入力端子１１、変調方式情報入力端子１２、符号化率情報入力端子１３、デマッピング回路１４、メトリック変換回路１５、デパンクチュアー化回路１６、ビタビ復号回路１７、復号データ出力端子１８を含んで構成される。
【００１９】
デマッピング回路１４はキャリア入力端子１１を介して受信したキャリア信号を、変調方式情報入力端子１２を介して入力された変調方式に応じて復調し、復調データに変換する回路である。メトリック変換回路１５は変調方式情報入力端子１２を介して入力された変調方式と、符号化率情報入力端子１３を介して入力された符号化率との組み合わせに応じて、復調データの量子化レベルを変えて量子化し、メトリックデータに変換する回路である。本実施の形態のメトリック変換回路１５では、復調データを多値メトリックデータに変換する関数を量子化ステップ関数とし、伝送された変調方式及び符号化率の組合せによって決定される伝送容量を許容伝送容量とするとき、許容伝送容量が増加する場合には、量子化ステップ関数の勾配を大きくし、許容伝送容量が減少する場合には、量子化ステップ関数の勾配を小さくするようにしている。
【００２０】
デパンクチュアー化回路１６はメトリックデータを符号化率情報入力端子１３を介して入力された符号化率に応じて補完し、デパンクチュアードデータとして出力する回路である。ビタビ復号回路１７はデパンクチュアードデータをビタビ復号し、復号データを出力する回路である。
【００２１】
このような構成の誤り訂正回路の動作について説明する。デマッピング回路１４は、入力されたキャリア信号を変調方式情報に応じて復調し、復調データとしてメトリック変換回路１５へ出力する。メトリック変換回路１５は、復調データを変調方式情報及び符号化率情報の組み合わせに応じた量子化レベルにより量子化し、メトリックデータとしてデパンクチュアー化回路１６に出力する。デパンクチュアー化回路１６は、符号化率情報に応じてメトリックデータを補完し、デパンクチュアードデータとしてビタビ復号回路１７に出力する。ビタビ復号回路１７は、デパンクチュアードデータを軟判定ビタビ復号し、復号データを復号データ出力端子１８に出力する。
【００２２】
図８は上記したメトリック変換回路１５の動作を説明するデータ相関図である。図８において折線ａは、変調方式がＱＰＳＫであり、符号化率が１／２の場合に最適となるような量子化ステップ関数を用いたときのデータ相関図である。折線ｂは変調方式が１６ＱＡＭ、符号化率が３／４の場合に最適となるような量子化ステップ関数を用いたときのデータ相関図である。折線ｃは変調方式が６４ＱＡＭ、符号化率が７／８の場合に最適となるような量子化ステップ関数を用いたときのデータ相関図である。尚、図に示した以外の変調方式及び符号化率の組み合わせについては図示を省略する。
【００２３】
図９は、図８に示したデータ相関を用いて誤り訂正を行った結果を示すＣ／Ｎ値対ビット誤り率（ＢＥＲ）の特性図である。図９において、曲線ａは変調方式がＱＰＳＫ、符号化率が１／２の場合の特性を示し、曲線ｂは変調方式が１６ＱＡＭ、符号化率が３／４の場合の特性を示し、曲線ｃは変調方式が６４ＱＡＭ、符号化率が７／８の場合の特性を示している。１６ＱＡＭでは例えばＣ／Ｎ値が１０の場合、従来が図７に示すようにＢＥＲが０．１であるのに対し、本実施の形態ではＢＥＲが０．０５に改善されていることが判る。また６４ＱＡＭでは例えばＣ／Ｎ値が２０の場合、従来のＢＥＲが０．０１を越えるのに対し、本実施の形態ではＢＥＲが０．０００２に大幅に改善されていることが判る。
【００２４】
以上のように本実施の形態によれば、複数の変調方式及び複数の符号化率の任意の組み合わせを用いて符号化変調され送出されたとき、誤り訂正回路で信号を受信して復号する場合に、メトリック変調回路１５は伝送された変調方式及び符号化率の組み合わせに応じた量子化ステップ関数を用いて量子化するようにしている。こうすると、変調方式や符号化率の変更又は切替えが生じた場合にも、常に安定して良好な誤り率を得ることができる。
【００２５】
（実施の形態２）
次に本発明の実施の形態２における誤り訂正回路について説明する。図２は本実施の形態における誤り訂正回路の構成を示すブロック図であり、図１と同一部分は同一の符号を付けて詳細な説明は省略する。この誤り訂正回路１０Ｂは、キャリア信号入力端子１１、変調方式情報入力端子１２、符号化率情報入力端子１３、デマッピング回路１４、メトリック変換回路２５、デパンクチュアー化回路１６、ビタビ復号回路１７、復号データ出力端子１８を含んで構成される。
【００２６】
本実施の形態のメトリック変換回路２５は、特定の符号化率を用いて伝送された場合、変調方式によって決定される伝送容量を許容伝送容量とするとき、許容伝送容量が増加する場合には、量子化ステップ関数の勾配を大きくし、許容伝送容量が減少する場合には、量子化ステップ関数の勾配を小さくするものである。このような前提は、実施の形態１では、地上波デジタル放送で任意の変調方式と任意の符号化率の組み合せが設定されることを想定したことに対し、本実施の形態では複数の変調方式が用いられ、夫々の変調方式に対する符号化率が特定されている場合を想定しているからである。
【００２７】
このような構成の誤り訂正回路１０Ｂの動作について説明する。デマッピング回路１４は、キャリア信号入力端子１１から入力されたキャリア信号を、変調方式情報に応じて復調し、復調データをメトリック変換回路２５に出力する。メトリック変換回路２５は、復調データを変調方式情報に応じた量子化ステップ関数を用いて量子化し、メトリックデータをデパンクチュアー化回路１６に出力する。デパンクチュアー化回路１６は、メトリックデータを符号化率情報に応じて補完し、デパンクチュアードデータをビタビ復号回路１７へ出力する。ビタビ復号回路１７は、デパンクチュアードデータを軟判定ビタビ復号し、復号データを復号データ出力端子１８に出力する。
【００２８】
本実施の形態によれば、伝送された変調方式に応じた量子化ステップ関数を用いて量子化することにより、変調方式の変更もしくは切替えが生じた場合にも、常に安定して良好な誤り率を得ることができる。
【００２９】
（実施の形態３）
次に本発明の実施の形態３における誤り訂正回路について説明する。図３は本実施の形態における誤り訂正回路の構成を示すブロック図であり、図１と同一部分は同一の符号を付けて詳細な説明は省略する。この誤り訂正回路１０Ｃは、キャリア信号入力端子１１、変調方式情報入力端子１２、符号化率情報入力端子１３、デマッピング回路１４、メトリック変換回路３５、デパンクチュアー化回路１６、ビタビ復号回路１７、復号データ出力端子１８を含んで構成される。
【００３０】
本実施の形態のメトリック変換回路３５は、特定の変調方式を用いて伝送された場合、符号化率によって決定される伝送容量を許容伝送容量とするとき、許容伝送容量が増加する場合には、量子化ステップ関数の勾配を大きくし、許容伝送容量が減少する場合には、量子化ステップ関数の勾配を小さくするものである。このような前提は、複数の符号化率が用いられ、夫々の符号化率に対する変調方式が特定されている場合を想定しているからである。
【００３１】
このような構成の誤り訂正回路１０Ｃの動作について説明する。デマッピング回路１４は、キャリア信号入力端子１１から入力されたキャリア信号を変調方式情報に応じて復調し、復調データをメトリック変換回路３５に出力する。メトリック変換回路３５は、復調データを符号化率情報に応じた量子化ステップ関数を用いて量子化し、メトリックデータをデパンクチュアー化回路１６に出力する。デパンクチュアー化回路１６は、メトリックデータを符号化率情報に応じて補完し、デパンクチュアードデータをビタビ復号回路１７に出力する。ビタビ復号回路１７は、デパンクチュアードデータを軟判定ビタビ復号し、復号データを復号データ出力端子１８に出力する。
【００３２】
本実施の形態によれば、伝送された符号化率に応じた量子化ステップ関数を用いて量子化することにより、符号化率の変更又は切替えが生じた場合にも、常に安定して良好な誤り率を得ることができる。
【００３３】
ここで所定のＢＥＲを得るべく、複数の変調方式（コンスタレーションを示すＭＡＰ）と、複数の符号化率（ＣＲ）とを組み合せ、Ｃ／Ｎの値を変化させたとき、シミュレーションで用いた量子化ステップ関数の特性を図１０に示す。ここでは、目安とするＢＥＲをＸ・ｅｘｐ−４のオーダ（０＜Ｘ＜１０）とし、量子化ステップ関数をゲインを用いて表現する。尚、ここで用いたゲインとは、図８に示すように、量子化ステップ関数の平均勾配とする。図１０に示す一例として、符号化率が１／２のＱＰＳＫと、符号化率が３／４の１６ＱＡＭと、符号化率が７／８の６４ＱＡＭとを比較すると、量子化ステップ関数の平均勾配が、夫々０．０００８、０．００２２、０．００５２となる。このように許容伝送容量が増加すると、量子化ステップ関数の平均勾配を大きくすれば良いことが判る。但し、変調方式によって所定のＢＥＲが確保されるＣ／Ｎ値は異なる。これは図９を見ても明らかである。
【００３４】
さて、実施の形態１から実施の形態３に示した誤り訂正回路のいずれにおいて、デマッピング回路１４がビットデインターリーブ回路を含む構成であってもよい。このとき送信側の誤り訂正符号化回路のマッピング回路５６は、ビットインターリーブ回路を含む構成となる。このような構成によれば、伝送路におけるバースト誤りを拡散することができ、ビタビ復号による誤り率特性を更に向上することができる。
【００３５】
【発明の効果】
以上のように本発明によれば、複数の変調方式及び複数の符号化率の任意の組み合わせの内、いずれかを用いて符号化変調され送出された信号を受信し復号する誤り訂正回路において、伝送された変調方式及び符号化率の組み合わせに応じた量子化レベルを用いて量子化することにより、変調方式あるいは符号化率の変更もしくは切替えが生じた場合にも、常に安定して良好な誤り率特性を得ることに優れた効果がある。
【図面の簡単な説明】
【図１】本発明の実施の形態１における誤り訂正回路の構成を示すブロック図である。
【図２】本発明の実施の形態２における誤り訂正回路の構成を示すブロック図である。
【図３】本発明の実施の形態３における誤り訂正回路の構成を示すブロック図である。
【図４】誤り訂正符号化回路の構成を示すブロック図である。
【図５】従来の誤り訂正回路の構成を示すブロック図である。
【図６】従来例のメトリック変換回路の動作を示すデータ相関図である。
【図７】図６に示したデータ相関を用いて誤り訂正を行った際のＣ／Ｎ値対ビット誤り率の特性図である。
【図８】本実施の形態のメトリック変換回路の動作を示すデータ相関図である。
【図９】図８に示したデータ相関を用いて誤り訂正を行った際のＣ／Ｎ値対ビット誤り率の特性図である。
【図１０】任意の変調方式と符号化率とを組み合わせた場合の、量子化ステップ関数（ゲイン）とＢＥＲ及びＣ／Ｎ値との関係を示すシミュレーション結果である。
【符号の説明】
１０Ａ，１０Ｂ，１０Ｃ，６０  誤り訂正回路
１１  キャリア信号入力端子
１２  変調方式情報入力端子
１３  符号化率情報入力端子
１４  デマッピング回路
１５，２５，３５  メトリック変換回路
１６  デパンクチュアー化回路
１７  ビタビ復号回路
１８  復号データ出力端子
５０  誤り訂正符号化回路
５１  ビットデータ入力端子
５２  符号化率情報入力端子
５３  変調方式情報入力端子
５４  畳込み符号化回路
５５  パンクチュアー化回路
５６  マッピング回路
５７  キャリア信号出力端子
【図１】
0003981490.tif 000002
【図２】
0003981490.tif 000003
【図３】
0003981490.tif 000004
【図４】
0003981490.tif 000005
【図５】
0003981490.tif 000006
【図６】
0003981490.tif 000007
【図７】
0003981490.tif 000008
【図８】
0003981490.tif 000009
【図９】
0003981490.tif 000010
【図１０】
0003981490.tif 000011